(57)【要約】  ドアロックには生物測定センサ及びキーシリンダが与えられる。生物測定センサは、シールド上に位置決めされることにより保護されて、センサが、ドアロックの正面上に置かれることによる損傷に曝されないようにする。シールドは、ドアロックの正面の残りの部分から垂直方向下方に延び、センサはシールドの内面に取り付けられる。したがって、センサは、ドアロックがドア上に取り付けられたときにドアから離れる方向に離間される。指をセンサとドアとの間の空間に挿入し、センサは、次いで、指紋についての情報を捕捉できるようになる。この情報は、予測される指紋と比較することができ、建物の中への入所は、この指紋の認識に基づいて認められることになる。
2009511788.tif 000002
【特許請求の範囲】
【請求項１】
ロック機構を作動させるための機械的キーを受け取るためのキーシリンダと、
制御部と通信し、情報を捕捉して前記捕捉した情報を前記制御部に送るように作用する生物測定センサと
を含み、前記捕捉した情報は前記制御部において予測された情報と比較され、前記捕捉した情報と前記予測された情報が適合する場合には、前記制御部が前記ロック機構を作動させ、
前記キーシリンダ及び前記センサをドアに取り付けるためのプレートがシールドを含んでおり、前記シールドはプレート本体から離れる方向に延びて前記生物測定センサのための保護された取り付け表面を構成し、前記生物測定センサは、ドアロックが前記ドアの上に取り付けられたときに、前記シールドの外面上及び前記シールドと前記ドアとの間に取り付けられる
ことを特徴とするドアロック。
【請求項２】
前記シールドは或る空間だけ前記ドアから離れるように離間されて、前記生物測定センサが、ユーザにアクセスを与える空間だけ前記ドアから離間されるようになることを特徴とする請求項１に記載のドアロック。
【請求項３】
前記シールドは前記プレート本体から垂直方向下方に延びることを特徴とする請求項２に記載のドアロック。
【請求項４】
前記生物測定センサは指紋認識センサであることを特徴とする請求項２に記載のドアロック。
【請求項５】
取り付けプレートは、前記生物測定センサを前記シールドに選択的に取り付けることを特徴とする請求項１に記載のドアロック。
【請求項６】
前記生物測定センサはワイヤハーネスまで延び、前記ワイヤハーネスは情報を前記センサから前記制御部に通信することを特徴とする請求項１に記載のドアロック。
【請求項７】
前記シールドは前記プレートの外周から延びることを特徴とする請求項１に記載のドアロック。
【請求項８】
ロック機構を作動させるための機械的キーを受け取るためのキーシリンダと、
制御部と通信し、ドアロックに対する個々の試行アクセスについての指紋情報を捕捉して、前記捕捉した情報を前記制御部に送るように作用する生物測定センサと
を含み、
前記捕捉した情報は前記制御部において予測される情報と比較され、前記捕捉した情報と前記予測された情報が適合する場合には、前記制御部が前記ロック機構を作動させ、
前記キーシリンダ及び前記生物測定センサをドアに取り付けるためのプレートがシールドを含んでおり、前記シールドはプレートから離れる方向に延びて前記生物測定センサのための保護された取り付け表面を構成し、前記生物測定センサは、前記ドアロックが前記ドアの上に取り付けられたときに、前記シールドと前記ドアとの間に取り付けられ、
前記シールドは或る空間だけ前記ドアから離れて離間され、前記生物測定センサは前記シールドの外面上に取り付けられて、前記生物測定センサが保護された位置に取り付けられるようになり、
前記生物測定センサは、前記ドアロックが前記ドアに取り付けられたときに、前記ドアの外面に一般に面するように位置決めされた感知表面を有する
ことを特徴とするドアロック。
【請求項９】
前記シールドは前記プレートの主要本体から垂直方向下方に延びて、前記生物測定センサが前記ドアロックの下方位置からアクセス可能になることを特徴とする請求項８に記載のドアロック。
【請求項１０】
前記シールドは前記プレートの外周から延びることを特徴とする請求項８に記載のドアロック。
【請求項１１】
ドアロックを作動させるための方法であって、
キーを受け取るためのキーシリンダを受け取るプレートと、前記プレートから延びるシールドとを有するドアロックを準備し、前記シールドの外面上に生物測定表面を準備して、生物測定センサがドアの外面に面するようにして、前記生物測定センサと前記ドアの前記外面との間に空間を定めるようにし、
ユーザの指を前記空間に挿入し、前記生物測定センサが前記指を読み取ることを可能にして、前記ユーザが承認されたユーザであるかどうかを判断し、
前記ユーザが承認されたユーザであると識別される場合には前記ドアロックをロック解除する
ステップを含むことを特徴とする方法。
【請求項１２】
前記ユーザの指は、前記生物測定センサにより読み取られるときに、自身の方向に丸められることを特徴とする請求項１１に記載の方法。
【発明の詳細な説明】
【技術分野】
【０００１】
本出願は、機械的キー、又は、ドアロック上のシールドとドアとの間に位置決めされてセンサを保護するようになっている生物測定センサを使用して認証されたユーザを識別するドアロックに関する。
【背景技術】
【０００２】
ドアロックは、建物の中への選択的な入所を可能にするのに使用される。周知のように、ドアロックには、従来、ドアを回し、ロック解除するロック構造を可能にする複数の機械的部材を移動させる機械的キーが含まれる。１つの既知の種類のドアロックはデッドボルトであり、これはキーにより回転シャフトを回し、次いでデッドボルト機構を作動させて、ドアをロックするか又はロック解除するものである。
【０００３】
より最近では、生物測定センサがドアに組み込まれている。生物測定センサは、本質的には、ユーザの何らかの特性に基づいて個々のユーザを識別することができるセンサである。既知の種類の生物測定センサは、指紋認識ソフトウェア、音声認識ソフトウェア等を用いる。生物測定センサは、ドアロックにおいて用いるのに提案されているが、典型的には、ドアロックの外側に面する表面に取り付けられている。この表面上のセンサは保護されておらず、損傷を受けやすい。さらに、外方に面する表面におけるセンサは、ドアロックの設計者に美観的な課題を呈する。
【発明の開示】
【０００４】
開示される本発明の実施形態においては、ドアロックには、キーシリンダ及び生物測定センサが与えられる。キーシリンダ及びセンサの外側保持構造体の一部は、センサに保護表面を与えるシールドを有する。１つの実施形態においては、シールドは、キーシリンダから垂直方向下方に延びる。センサは、シールドの内面に取り付けられる。ユーザはドアに接近し、指をセンサに隣接して配置する。センサは、指紋を感知して、その情報を制御部に通信することができる。指紋が、前に格納された予測される指紋と適合する場合には、ドアを開けることができる。指紋を認識するのに使用される生物測定ソフトウェアは、当該技術分野に知られている。本発明のこれら及び他の特徴は、明細書及び図面から最も良く理解できる。
【発明を実施するための最良の形態】
【０００５】
ドアロック２０は、外側プレート２４と、キーシリンダ２２から下方に延びるシールド２６とを有して図１に示される。図示のように、機械的キー２３はキーシリンダ２２内に受け取られる。
【０００６】
図２から分かるように、ドアロック２０は、ドア３０内に取り付けられる。キー２３は、既知のように、複数の機械的ピン２８を作動させて、シャフト４０の回転及びデッドボルト機構３８の作動を可能にする。シールド２６は、ドア３０の外面に面する内面２７を有する。センサ３２は、シールド上に位置決めされる。プレートマウント３３は、センサをシールド２６に取り付ける。ワイヤハーネス３４はセンサ３２から制御部３６まで延びる。制御部３６は、さらに、デッドボルト機構３８を作動させる。既知のように、キー２３は、デッドボルト機構３８を作動させるように回転させ、ドアを開けたりロックしたりすることができる。さらに、ユーザ２１は、指を生物測定センサ３２に隣接させて配置することができる。開示される実施形態は、指を単にセンサ３２に通すだけで、センサが指の少なくとも一部を捕捉して、格納されている認証されたユーザの指紋と比較することができるソフトウェアを使用する。センサの感知表面は、ドアの外面に面する。一方、指の完全なスナップショット又は生物測定認識の何らかの他の形態を取る他の種類のソフトウェアを本発明に使用してもよい。その情報は、ワイヤハーネス３４から制御部３６に伝送される。制御部３６に格納された情報がセンサ３２により読み取られた指紋と適合する場合には、デッドボルト機構３８を開けることができる。認証されたユーザを制御部３６に格納するための手段は、当該技術分野に知られるものとすることができる。
【０００７】
図２においては、一般に垂直に上方に延びるユーザ２１の指が示される。しかし、これは、最も単純な例示を与えるものに過ぎない。多くの場合、指は、単純に、シールド２６の側部から空間に入ることができる。本発明は、さらに、生物測定センサを使用してドアロックを作動させるこの方法に適用される。
【０００８】
本発明は、シールド２６とドア３０との間の保護された空間に生物測定センサ３２を配置し、従来技術と比較したときに、センサがより良好に保護されることを保証する。従来技術においては、センサは、ロックの外面に置かれる傾向があり、誤って向けられたキーなどによって損傷することがあった。さらに、センサ３２を隠すためにシールド２６を使用することにより、ロックの正面の美観的な質が従来具術と比較して改善される。
【０００９】
生物測定センサ２６は、シールド２６の外面上に配置され、ドア３０に面することがわかる。シールド２６は、外側プレート２４の外周面に形成されて、保護された空間に対する容易なアクセスを可能にする。
【００１０】
図３は、種々の構成要素の分解図である。センサ３２のホルダ３３は、ピン５０によりシールド２６にピン留め又はボルト留めされることが理解できる。本発明の好ましい実施形態が開示されるが、当業者は、特定の修正は本発明の範囲内に入ることを認識する。その理由のために、特許請求の範囲は、本発明の真の範囲及び内容を判断するのに研究されるべきである。
【図面の簡単な説明】
【００１１】
【図１】本発明によるドアロックの正面図である。
【図２】図１のドアロックを通る断面図である。
【図３】図１のドアロックの分解図である。
【図１】
2009511788.tif 000003
【図２】
2009511788.tif 000004
【図３】
2009511788.tif 000005
【国際調査報告】
2009511788.tif 000006